(57)【特許請求の範囲】
【請求項１】
ケース本体とカバーの間に遊技機の制御基板を収納し、前記ケース本体と前記カバーの両部材を封止状態にする封止機構を備える遊技機用基板ケースであって、
前記封止機構は、前記両部材の一方の部材に一方向のみにスライド可能に設けられるスライド体を有し、
前記スライド体は、封止ピースと開封ピースを切除可能に交互に複数有し、
前記封止ピースは、前記両部材の他方の部材に形成された封止部に対応する位置にて前記封止部と協働して前記両部材を封止状態にし、前記開封ピースは、前記封止部に対応する位置にて前記両部材を開封状態にする構造であり、
前記両部材の一方の部材には、前記スライド体のスライドを規制するストッパが設けられ、
前記ストッパは、前記ピースを切除する毎に前記スライド体を前記封止状態とする封止位置と、前記開封状態とする開封位置とに位置決めする構造になっていることを特徴とする遊技機用基板ケース。
【請求項２】
請求項１に記載の遊技機用基板ケースであって、
封止ピースと開封ピースは、スライド体のスライド方向に並設されており、前記ピースを切除することで前記スライド体のスライド方向長さが短くなる構成になっていることを特徴とする遊技機用基板ケース。
【請求項３】
請求項１または２に記載の遊技機用基板ケースであって、
封止部は、等間隔で複数設けられていることを特徴とする遊技機用基板ケース。
【発明の詳細な説明】
【技術分野】
【０００１】
本発明は、パチンコ機やスロットマシンなどの遊技機を制御する制御基板を収容する基板ケースに関する。詳しくは、基板ケースの不正開放を防止する封止機構を有し、その封止機構によって制御基板の不正交換を防止する基板ケースに関する。
【背景技術】
【０００２】
従来、ケース本体とカバーの間に遊技機の制御基板を収納し、ケース本体とカバーの両部材を封止状態にするための封止機構を備える遊技機用基板ケースが知られている（特許文献１，２参照）。従来の封止機構は、例えばケース本体に一方向のみにスライド可能に設けられるスライド体を有している。そしてスライド体は、切除可能な切除部を有し、切除部を切除することで両部材を開封状態にする。そのため切除部の数によって開放できる回数が制限され、残った切除部の数によって開放した回数等の痕跡をとどめることができる構成になっている。
【特許文献１】特開２００６−２３１号公報
【特許文献２】特開２００７−６１４７０号公報
【発明の開示】
【発明が解決しようとする課題】
【０００３】
しかしスライド体は、カバーを開放した状態においてスライド可能であった。そのためカバーを開放した状態のままスライド体を誤ってスライドさせることで、カバーを閉じることができないなどの問題があった。そこで本発明は、封止機構のスライド体を誤ってスライドさせることを防止できる遊技機用基板ケースを提供することを課題とする。
【課題を解決するための手段】
【０００４】
前記課題を解決するために本発明は、各請求項に記載の通りの構成を備える遊技機用基板ケースであることを特徴とする。請求項１に記載の発明によると、封止機構は、ケース本体とカバーの両部材の一方の部材に一方向のみにスライド可能に設けられるスライド体を有している。スライド体は、封止ピースと開封ピースを切除可能に交互に複数有している。封止ピースは、両部材の他方の部材に形成された封止部に対応する位置にて封止部と協働して両部材を封止状態にし、開封ピースは、封止部に対応する位置にて両部材を開封状態にする構造である。そして両部材の一方の部材には、スライド体のスライドを規制するストッパが設けられている。ストッパは、ピースを切除する毎にスライド体を封止状態とする封止位置と、開封状態とする開封位置とに位置決めする構造になっている。
【０００５】
したがってスライド体は、封止ピースと開封ピースを一つずつ切除することで、封止位置と開封位置にスライドさせることができる。そのため基板ケースを複数回、開封状態にすることができる。そして残ったピース数等によって開封回数の痕跡をとどめることができる。さらにスライド体は、各状態においてストッパによってスライド規制される。そのためカバーを開放した状態のままスライド体を誤ってスライドさせて、カバーをケース本体に対して閉じることができなくなるなどの問題を回避することができる。
【０００６】
請求項２に記載の発明によると、封止ピースと開封ピースは、スライド体のスライド方向に並設されており、ピースを切除することでスライド体のスライド方向長さが短くなる構成になっている。したがってスライド体は、スライドさせる度に、ピースを削除することで短くなる。そのためスライド体がケース本体から大きく飛び出てしまうことを防止することができる。
【０００７】
請求項３に記載の発明によると、封止部は、等間隔で複数設けられている。したがって複数の封止部と複数の封止ピースによって、基板ケースが封止状態になる。そのため基板ケースを安定して封止状態にすることができる。
【発明を実施するための最良の形態】
【０００８】
本発明の実施の形態を図１〜９にしたがって説明する。本形態に係る遊技機１０は、パチンコ機であって、矩形枠状の外枠１１と、外枠１１に回動可能に取付けられる前枠１２を有している。前枠１２には、遊技盤１３や球タンクなどが取付けられる。遊技盤１３の背面には、図１に示すように基板（制御基板１４など）や電気配線などが取付けられる。
【０００９】
制御基板１４は、遊技機１０の制御を司る基板であって、基板ケース１内に収納される。基板ケース１は、図２，３に示すように透明な樹脂製のケース本体２とカバー３を有している。ケース本体２とカバー３は、一端部２ａ，３ａ同士が回動可能に係合される。そして他端部には、封止機構を構成するスライド体４が取付けられる。
【００１０】
図３，７に示すようにカバー３には、封止部３ｂと鍔部３ｃが形成されている。封止部３ｂは、スライド体４と協働して封止機構を構成する部材であって、カバー３の側面に凸状に等間隔で複数形成されている。鍔部３ｃは、カバー３の端部から封止部３ｂの上方に張出している。鍔部３ｃには、複数の窓３ｃ１が形成されている。
【００１１】
スライド体４は、図２，９に示すようにケース本体２に形成されたレール２ｄ，２ｅにスライド可能に取付けられるガイド部４ｄ，４ｅを有している。スライド体４とケース本体２の間には、スライド体４を一方向のみにスライド可能にするワンウェイ機構１ａが設けられている。ワンウェイ機構１ａは、ケース本体２の一側面に形成された爪２ｃと、スライド体４の内側面に形成された爪４ｃによって構成されている。
【００１２】
スライド体４は、図９に示すように封止ピース４ａと開封ピース４ｂを交互に複数（例えば五つずつ）有している。封止ピース４ａは、断面コ字状であって、張出片４ｆを有している。張出片４ｆの表面には、数字または文字が付されている。裏面には、ガイド部４ｄが形成されている。張出片４ｆと対向する片には、ガイド部４ｅが形成されている。開封ピース４ｂは、断面Ｌ字状であって、張出片４ｆに相当する部分を有していない構造になっている。
【００１３】
スライド体４をケース本体２に取付ける場合は、先ず、図３，４に示すようにカバー３をケース本体２に対して閉じる。その状態でスライド体４のガイド部４ｄ，４ｅをケース本体２のレール２ｄ，２ｅに係合させ、スライドさせる。スライド体４は、ケース本体２の側面に形成されたストッパ２ｂに当接するまでスライドさせることができる。そしてスライド体４の端部がストッパ２ｂに当たることで、スライド体４の位置が決定される。
【００１４】
スライド体４の張出片４ｆは、図３，７に示すようにカバー３の封止部３ｂと鍔部３ｃの間をスライドする。スライド体４が図４（Ｂ）に到達すると、各張出片４ｆは、各封止部３ｂに対応する位置に位置する。これによりカバー３は、張出片４ｆと封止部３ｂの協働によってケース本体２に対し開放不能となる。かくして基板ケース１が封止状態となり、封止状態は、カバー３の窓３ｃ１から封止ピース４ａに付された数字等を目視することで確認できる。
【００１５】
基板ケース１を封止状態から開封状態にする場合は、図５に示すように先ず、スライド体４の端部に位置する開封ピース４ｂを切除する。例えば、手で折って切除する。次に、スライド体４をスライドさせて、スライド体４の端部をストッパ２ｂに当てる。これにより図８に示すように封止部３ｂに対応する位置に開封ピース４ｂが位置する。その結果、カバー３がケース本体２に対して開放可能になる。かくして基板ケース１が開封状態となり、開封状態は、カバー３の窓３ｃ１から封止ピース４ａの数字等を目視できないことから確認できる。
【００１６】
続けて基板ケース１を開封状態から封止状態にする場合、あるいは封止状態から開封状態にする場合は、上記と同じ方法にて行うことができる。すなわちスライド体４の端部のピース（封止ピース４ａまたは開封ピース４ｂ）を切除し、スライド体４をストッパ２ｂに当たるまでスライドさせる。これにより基板ケース１を複数回、開封状態にすることができる。そして開封した回数をスライド体４に残ったピース４ａ，４ｂの数等から確認することができる。
【００１７】
以上のように、ケース本体２には、スライド体４のスライドを規制するストッパ２ｂが設けられている。そしてストッパ２ｂは、ピース４ａ，４ｂを切除する毎にスライド体４を封止位置と開封位置とに位置決めする構造になっている。
【００１８】
したがってスライド体４は、封止ピース４ａと開封ピース４ｂを一つずつ切除することで、封止位置と開封位置にスライドさせることができる。そのため基板ケース１を複数回、開封状態にすることができる。そして残ったピース数等によって開封回数の痕跡をとどめることができる。さらにスライド体４は、各状態においてストッパ２ｂによってスライド規制される。そのためカバー３を開放した状態のままスライド体４を誤ってスライドさせて、カバー３をケース本体２に対して閉じることができなくなるなどの問題を回避することができる。
【００１９】
封止ピース４ａと開封ピース４ｂは、スライド体４のスライド方向に並設されており、ピース４ａ，４ｂを切除することでスライド体４のスライド方向長さが短くなる構成になっている。したがってスライド体４は、スライドさせる度に、ピース４ａ，４ｂを削除することで短くなる。そのためスライド体４がケース本体２から大きく飛び出てしまうことを防止することができる。
【００２０】
また図３（Ａ）に示すように封止部３ｂは、等間隔で複数設けられている。したがって複数の封止部３ｂと複数の封止ピース４ａによって、基板ケース１が封止状態になる。そのため基板ケース１を安定して封止状態にすることができる。
【００２１】
（他の実施の形態）
本発明は、上記実施の形態に限定されず、以下の形態等であっても良い。
（１）上記実施の形態は、スライド体４がケース本体２にスライド可能に取付けられていた。そしてストッパ２ｂがケース本体２に設けられ、封止部３ｂがカバー３に設けられていた。しかしスライド体がカバーにスライド可能に取付けられ、ストッパがカバーに設けられ、封止部がケース本体に設けられている形態であっても良い。
（２）上記実施の形態のスライド体４は、連接された封止ピース４ａと開封ピース４ｂのみから構成される形態であった。しかしスライド体が、本体部と、本体部に対して切除可能に設けられた封止ピースと開封ピースとを有している形態であっても良い。
【図面の簡単な説明】
【００２２】
【図１】遊技機の背面図である。
【図２】基板ケースの分解斜視図である。
【図３】組立途中における基板ケースの斜視図である。
【図４】組立途中（Ａ）および封止状態（Ｂ）における基板ケースの斜視図である。
【図５】封止状態から開封状態にする際における基板ケースの斜視図である。
【図６】開封状態から封止状態にする際における基板ケースの斜視図である。
【図７】封止状態における基板ケースの一部上面図とその断面図である。
【図８】開封状態における基板ケースの一部上面図とその断面図である。
【図９】スライド体の斜視図である。
【符号の説明】
【００２３】
１…基板ケース
１ａ…ワンウェイ機構
２…ケース本体
２ｂ…ストッパ
３…カバー
３ｂ…封止部
３ｃ…鍔部
３ｃ１…窓
４…スライド体
４ａ…封止ピース
４ｂ…開封ピース
１０…遊技機
１４…制御基板
【図１】
0005058829.tif 000002
【図２】
0005058829.tif 000003
【図３】
0005058829.tif 000004
【図４】
0005058829.tif 000005
【図５】
0005058829.tif 000006
【図６】
0005058829.tif 000007
【図７】
0005058829.tif 000008
【図８】
0005058829.tif 000009
【図９】
0005058829.tif 000010